(57)【特許請求の範囲】
【請求項１】
複数の車輪を有して移動自在に設けられた本体と、
前記本体の左右両側に垂直に設けられた１対の昇降用ガイドレールと、
前記一対の昇降用ガイドレールの後方にそれぞれ配置され、これらの昇降用ガイドレールに沿った一定長さの垂直部分と、当該垂直部分の上端に連続して後方に湾曲する中間部分と、前記中間部分の後端に連続して後方に延びる水平部分からなる一対の傾動用ガイドレールと、
台車底面を保持して持ち上げるための水平部と、前記水平部の後端から上方に延びる垂直部とから略Ｌ字状に形成されたフォーク部材と、
前記フォーク部材の垂直部の下方位置の左右両側からそれぞれ後方に向けて突設された一対の第１支持腕と、前記一対の第１支持腕からそれぞれ上方へ離れた位置で前記垂直部の左右両側からそれぞれ後方に向けて突設された一対の第２支持腕と、
前記一対の第１支持腕のそれぞれに回転自在に取り付けられて、前記一対の昇降用ガイドレールのそれぞれに沿って移動自在に案内される昇降用ガイドローラと、
前記一対の第２支持腕のそれぞれに回転自在に取り付けられて、前記一対の傾動用ガイドレールのそれぞれに沿って移動自在に案内される傾動用ガイドローラと、
両端部近傍部分が、一対の第１支持腕のそれぞれに対して昇降用ガイドローラの回転軸線と同軸に取り付けられている連結軸と、
前記連結軸を昇降用ガイドレールに沿って昇降させる昇降駆動手段とを備えたことを特徴とする台車傾転装置。
【請求項２】
前記昇降駆動手段は、本体の少なくとも上下位置にそれぞれ回転自在に支持された複数の輪体と、これらの輪体間に掛け渡されているとともに、一部が連結軸に連結されている可撓条体と、
前記複数の輪体の少なくとも一つと駆動連結され、当該輪体ならびに可撓条体を介して前記連結軸を昇降させるための回転駆動源とを備えていることを特徴とする請求項１記載の台車傾転装置。
【請求項３】
前記昇降駆動手段は、本体の少なくとも上下位置にそれぞれ回転自在に支持された複数の輪体と、これらの輪体間に掛け渡されているとともに、一部が連結軸に連結されている可撓条体と、
前記複数の輪体の少なくとも一つと駆動連結され、当該輪体ならびに可撓条体を介して前記連結軸を昇降させるための手動ハンドルが取り付けられた回転操作軸と、
フォーク部材側から作用する荷重によって、前記回転操作軸がフォーク部材の下降方向に回転することを防止するメカニカルブレーキとを備えたことを特徴とする請求項１に記載の台車傾転装置。
【発明の詳細な説明】
【技術分野】
【０００１】
本発明は、例えば、キャスタ車輪等が設けられた養鶏用移動棚のような、車高の高い台車を持ち上げて横倒し状態で保持するための台車傾転装置に関する。
【背景技術】
【０００２】
養鶏場等で用いられる養鶏用移動棚は、底部にキャスタ車輪等の車輪が取り付けられて移動できる台車として構成されている。鶏を収容する棚は多段になっていて、車輪を含めた高さは１７０ｃｍ〜１８０ｃｍと高いため、このような台車の車輪の点検、洗浄、注油、修理等の作業を行う場合には、従来では台車を人手で横倒しにして行っていた。
【０００３】
そのため、一度に多数の養鶏用移動棚の車輪に注油したり、破損した車輪を新品と交換するような作業を行う場合には、人の身長以上もあるこれらの養鶏用移動棚を一つ一つ人手で横倒しにする必要があり、その作業に多大な労力と時間が費やされるばかりでなく、地面や床面に横倒しにした状態では、車輪が低い位置にあるため、注油や点検等の作業が困難であった。
【０００４】
一方、従来より、廃自動車の車底に取り付けられた部品を取り外したり、点検や修理のために、車両を持ち上げたり横倒しにする装置が提案されている（特許文献１参照）。
【特許文献１】特開２００５−２００１６５号公報
【発明の開示】
【発明が解決しようとする課題】
【０００５】
しかしながら、自動車と、養鶏用移動棚のようにキャスタ車輪等が付属した車高の高い台車とは、形態や重量が根本的に異なっているため、養鶏用移動棚のような小型の台車を傾転するためには、特許文献１に記載されているような技術は利用することができなかった。
【０００６】
そこで、本発明は、前述したような、従来技術における問題を解消し、キャスタ車輪等を有する小型で車高の高い台車を持ち上げて横倒し状態で保持できる台車傾転装置を提供することを目的とする。
【課題を解決するための手段】
【０００７】
前記目的のため、本発明に係る台車傾転装置は、複数の車輪を有して移動自在に設けられた本体と、前記本体の左右両側に垂直に設けられた１対の昇降用ガイドレールと、前記一対の昇降用ガイドレールの後方にそれぞれ配置され、これらの昇降用ガイドレールに沿った一定長さの垂直部分と、当該垂直部分の上端に連続して後方に湾曲する中間部分と、前記中間部分の後端に連続して後方に延びる水平部分からなる一対の傾動用ガイドレールと、台車底面を保持して持ち上げるための水平部と、前記水平部の後端から上方に延びる垂直部とから略Ｌ字状に形成されたフォーク部材と、前記フォーク部材の垂直部の下方位置の左右両側からそれぞれ後方に向けて突設された一対の第１支持腕と、前記一対の第１支持腕からそれぞれ上方へ離れた位置で前記垂直部の左右両側からそれぞれ後方に向けて突設された一対の第２支持腕と、前記一対の第１支持腕のそれぞれに回転自在に取り付けられて、前記一対の昇降用ガイドレールのそれぞれに沿って移動自在に案内される昇降用ガイドローラと、前記一対の第２支持腕のそれぞれに回転自在に取り付けられて、前記一対の傾動用ガイドレールのそれぞれに沿って移動自在に案内される傾動用ガイドローラと、両端部近傍部分が、一対の第１支持腕のそれぞれに対して昇降用ガイドローラの回転軸線と同軸に取り付けられている連結軸と、前記連結軸を昇降用ガイドレールに沿って昇降させる昇降駆動手段とを備えていることを特徴とするものである。
【０００８】
本発明に係る台車傾転装置においては、前記昇降駆動手段は、本体の少なくとも上下位置にそれぞれ回転自在に支持された複数の輪体と、これらの輪体間に掛け渡されているとともに、一部が連結軸に連結されている可撓条体と、前記複数の輪体の少なくとも一つと駆動連結され、当該輪体ならびに可撓条体を介して前記連結軸を昇降させるための回転駆動源とを備えていることが望ましい。
【０００９】
また、本発明に係る台車傾転装置においては、前記昇降駆動手段は、本体の少なくとも上下位置にそれぞれ回転自在に支持された複数の輪体と、これらの輪体間に掛け渡されているとともに、一部が連結軸に連結されている可撓条体と、前記複数の輪体の少なくとも一つと駆動連結され、当該輪体ならびに可撓条体を介して前記連結軸を昇降させるための手動ハンドルが取り付けられた回転操作軸と、フォーク部材側から作用する荷重によって、前記回転操作軸がフォーク部材の下降方向に回転することを防止するメカニカルブレーキとを備えていることも望ましい。
【００１０】
なお、ここで、輪体には、スプロケット、ワイヤドラム、歯付プーリ、及びこれらと同等な機能を有するものが含まれるものとする。また、可撓条体には、ローラチェーンやショートリンクチェーン、ワイヤロープ等のロープ、タイミングベルト、及びこれらと同等な機能を有するものが含まれるものとする。
【発明の効果】
【００１１】
請求項１記載の発明に係る台車傾転装置によれば、それぞれ左右一対の昇降用ガイドレールと傾転用ガイドレールにより、フォーク部材の姿勢がコントロールされるため、昇降駆動手段により連結軸を単に昇降させる動作だけの簡単な構造で、フォーク部材の昇降動作と傾転動作を一工程で行うことができる。
【００１２】
その結果、台車を一定高さまで持ち上げた位置で自然に横倒し状態にして保持することができるため、キャスタ車輪等の注油、点検、洗浄、修理等の作業を容易に行うことができる。また、本体が車輪で移動できるようになっているため、車輪が破損して移動させることが困難な台車であっても、台車傾転装置を当該台車の場所まで移動させ、その場で台車を持ち上げて横倒しにできるので、破損した車輪の修理や交換等の作業を容易に行うことができる。
【００１３】
また、請求項２記載の発明に係る台車傾転装置によれば、フォーク部材の昇降ならびに傾転動作を、回転駆動源により、本体の上下位置に回転自在に支持された一対の輪体間に掛け渡した可撓条体を介して行っているため、構造が簡単で保守・点検や調整を容易に行うことができる。
【００１４】
また、請求項３記載の発明に係る台車傾転装置によれば、フォーク部材の昇降ならびに傾転動作を手動ハンドルを回転させて行うことができるため、屋外等の電源がない場所においても使用することができる。また、フォーク部材を動作させるためのモータや、その電源となるバッテリー等を搭載しなくて済むため、軽量化することができるとともに、構造が簡単であるため低コストで製造することができる。
【００１５】
また、メカニカルブレーキを備えているため、手動ハンドルに回転操作する都度解除する必要のある逆転止め用のラチェット機構やブレーキ機構を設けなくても、フォーク部材の昇降と傾転動作を安全に行うことができる。
【発明を実施するための最良の形態】
【００１６】
以下、図面に基づいて本発明の一実施形態を説明する。
図１は、本発明の台車傾転装置の１実施形態を示す側面図、図２は、その平面図であって、これらの図に示すように、台車傾転装置１は、左右２つのキャスタ車輪からなる前輪２と、左右２つの後輪３からなる、合計４つの回転自在な車輪によって移動自在な枠状の本体４を有していて、本体後側上端部に取り付けられている水平な移動用ハンドル５を手で押すことによって、所望の場所へ移動させて使用することができるようになっている。
【００１７】
本体４の前側には、図２に仮想線で示してある養鶏用移動棚としての台車Ｗを載せるための、枠状の水平部６Ａと、前記水平部６Ａの後端から上方へ延びて、前記台車Ｗの後方側面を支える枠状の垂直部６Ｂとから、側面視がＬ字状に形成されているフォーク部材６が設けられている。
【００１８】
また、前記垂直部６Ｂの左右両側から後方に向けて、それぞれ第１支持腕７と第２支持腕８がそれぞれ一対ずつ水平に突設されている。このうち、一対の第１支持腕７は、垂直部６Ｂの下方位置に左右同一レベルで設けられていて、これらの後端部どうしは水平な連結軸９によって連結されている。
【００１９】
図２及び図３に示すように、連結軸９は、左右の第１支持腕７の互いに対向する側面にそれぞれ取り付けられた連結軸ホルダ１０を介して、これらの第１支持腕７に対して回動可能に支持されている。また、連結軸９の左右両端部は、これら一対の第１支持腕７の両外側に突出して、そこに昇降用ガイドローラ１１がそれぞれ取り付けられている。これらの昇降用ガイドローラ１１は、連結軸９に対して自由に回転できるように取り付けられている。
【００２０】
一方、台車傾転装置１の本体４側には、これらの昇降用ガイドローラ１１を案内するための直線状の左右一対の昇降用ガイドレール１２が垂直に取り付けられている。図３に示すように、これらの昇降用ガイドレール１２は本体４の中央に向けて内向きに開放された横断面コ字状に形成されていて、その内部に昇降用ガイドローラ１１が入り込んで案内されるようになっている。
【００２１】
なお、左右の昇降用ガイドローラ１１の外周にそれぞれ設けられているフランジ部１１Ａが対向する昇降用ガイドレール１２の端縁に当接することで、これらの昇降用ガイドレール１２に対する昇降用ガイドローラ１１の軸方向移動が規制されている。
【００２２】
また、図１に示すように、一対の第２支持腕８は、フォーク部材６の垂直部６Ｂのそれぞれの第１支持腕７から所定距離上方に離間した位置に設けられていて、これらの第２支持腕８の後方端部近傍の外側面にはそれぞれ、水平な回転軸線周りに自由に回転できるように傾動用ガイドローラ１３が取り付けられている。
【００２３】
これらの傾動用ガイドローラ１３は、前述した昇降用ガイドローラ１１と同一構造のものが用いられており、本体４側に設けられた左右一対の傾動用ガイドレール１４にそれぞれが案内されるようになっている。
【００２４】
傾動用ガイドレール１４は、前述した昇降用ガイドレール１２と同様に、本体４の中央に向けて内向きに開放された横断面コ字状に形成されていて、左右それぞれの側において、一定長さの垂直部分１４Ａと、この垂直部分の上端に連続し、後方に向けて円弧状に湾曲する中間部分１４Ｂと、この中間部分１４Ｂに連続してさらに後方に延びる水平部分１４Ｃから構成されている。前記垂直部分１４Ａは、昇降用ガイドレール１２と隣り合わせに並行して下方に延び、その下端は昇降用ガイドレール１２の高さの略中間の高さに位置している。
【００２５】
図３及び図４に示すように、前述した連結軸９の長手方向中央部には、その直径方向を上下に貫通する断面矩形状の貫通孔１５が形成されている。また、前記連結軸９外周面の前記貫通孔１５の側方位置には、Ｌ字形の連結片１６の垂直部分が固定されており、この連結片１６の水平部分には前記貫通孔１５中心の直後に位置するように、貫通孔１７が上下に貫通形成されている。
【００２６】
連結軸９の貫通孔１５には、チェーン連結ボルト１８が上方から挿通されて、ナット１９で下方から連結軸９に対して締結固定されている。また、チェーン連結ボルト１８の上端部は、昇降用ローラチェーン２０の一方の端部とピン連結されている。
【００２７】
この昇降用ローラチェーン２０は、図１及び図４に示すように、本体４の上部に回転自在に支持された上部スプロケット２１と、本体下部に回転自在に支持された下部スプロケット２２との間に掛け渡されていて、その他方の端部は、図４に示すように、連結軸９に固定されている連結片１６の貫通孔１７に下方から挿入されて取り付けられているチェーン連結ボルト２３の下端部にピン連結されている。
【００２８】
チェーン連結ボルト２３は、連結片１６の貫通孔１７に対して軸方向上下に遊動可能に取り付けられていて、連結片１６上面とナット２４間に組み込まれている圧縮コイルスプリング２５によって、チェーン連結ボルト２３は連結片１６に対して上方に引き上げられるように付勢されている。その結果、昇降用ローラチェーン２０の弛みが除去されて、上部スプロケット２１や下部スプロケット２２からの脱落が防止されている。
【００２９】
下部スプロケット２２は、本体４側に回転自在に支持されている回転軸２６に固定されていて、この回転軸２６には、下部スプロケット２２と同軸に隣接して中継スプロケット２７が固定されている。この中継スプロケット２７は、伝動用ローラチェーン２８を介し、図１に示すモータ２９に付属している減速機３０の出力軸に固定された、駆動スプロケット３１と駆動連結されている。
【００３０】
なお、本実施形態においては、モータ２９は、通電された時に開放されるブレーキを内蔵した正逆回転可能なブレーキモータが用いられていて、本体４に搭載されている図示していないバッテリ、もしくは、外部の電源から給電ケーブルを介して電力供給されて駆動されるようになっている。
【００３１】
次に、前述したように構成されている台車傾転装置１により、養鶏用移動棚の台車Ｗを傾転させる動作について説明する。床面上に停止させてある養鶏用移動棚の台車Ｗを傾転させる場合には、先ず、台車傾転装置１を台車Ｗの側まで移動させてきて、図５の（Ａ）に示すように、フォーク部材６の水平部６Ａを台車Ｗの下差し入れる。なお、同図においては、台車傾転装置１の本体４の図示は省略してある。
【００３２】
ここで、図１に示すモータ２９を正方向に回転駆動させると、前記モータ２９の回転は減速機３０を介して駆動スプロケット３１に伝達され、これを正方向（図１で時計周り）に回転させる。駆動スプロケット３１の回転は、伝動用ローラチェーン２８並びに中継スプロケット２７を介して下部スプロケット２２に伝達される。この際、下部スプロケット２２は、同図の時計回りに回転し、昇降用ローラチェーン２０を介して、これに連結されている連結軸９を上昇移動させる。
【００３３】
その結果、連結軸９の両側に取り付けられている左右一対の昇降用ガイドローラ１１がそれぞれ対応する昇降用ガイドレール１２によって案内されるとともに、左右一対の傾動用ガイドローラ１３がそれぞれ対応する傾動用ガイドレール１４の垂直部分１４Ａに案内されて、図５（Ｂ）に示すように、フォーク部材６はその水平部６Ａを水平に保ったまま上昇して、台車Ｗを垂直に持ち上げる。
【００３４】
そして、傾動用ガイドローラ１３が傾動用ガイドレール１４の後方に湾曲した中間部分１４Ｂに進入すると、フォーク部材６は、その垂直部６Ｂの上端側が後方へ傾動するように案内され、さらに、傾斜用ガイドローラ１３が図５（Ｃ）に示すように傾動用ガイドレール１４の水平部分１４Ｃに至って台車Ｗを横倒し状態に傾転させた位置で停止する。
【００３５】
なお、フォーク部材６が傾転する際に、これに取り付けられている一対の第１支持腕７も傾くが、連結軸９の両端はこれらの第１支持腕７に対して連結軸ホルダ１０で回動自在に支持されているため、第１支持腕７の傾斜に伴って、連結軸９は連結軸ホルダ１０に対して回動し、昇降用ローラチェーン２０との連結部分に支障を生じることはない。
【００３６】
一方、図５（Ｃ）の傾転姿勢からモータ２９を逆転駆動すれば、下部スプロケット２２は上部スプロケット２１とともに、図１及び図３において反時計回りに回転し、連結軸９とともにフォーク部材６は下降して、台車Ｗを図５（Ａ）に示す元の起立姿勢へ戻すことができる。
【００３７】
本実施形態においては、フォーク部材６を台車Ｗを横倒し状態に傾転させた位置と、起立姿勢に戻した位置で図示しないリミットスイッチ等の検出手段がそれぞれ動作し、この検出信号によりこれらの位置でモータ２９の回転が停止するようにしてある。
【００３８】
なお、連結軸９の昇降駆動手段としては、前述した実施形態のものに限定するものではなく、例えば、油圧等の流体シリンダ機構や、モータの回転をボールネジ機構により直線運動に変換して出力する直線作動機等、連結軸９を上下に駆動することのできる周知の手段を用いることが可能である。
【００３９】
次に、図６は、本発明の台車傾転装置の別の実施形態における昇降駆動手段の概略構造図である。この実施形態では、フォーク部材６の昇降動作と傾転動作を行うための昇降駆動手段を、クランク式の手動ハンドル３２が設けられた操作軸３３と、この操作軸３３に連結されたワイヤドラム３４と、このワイヤドラム３４に巻き付けられて複数のガイドプーリ３５間に掛け渡されたワイヤロープ３６とから構成している。なお、フォーク部材６を案内するガイド機構その他の構成部分は、前述した実施形態のものと同様な構造とすることができる。
【００４０】
ワイヤドラム３４は、一方の側からワイヤロープ３６を巻き込み他方の側で繰り出すように、その巻胴にワイヤロープ３６の両端を互いに反対方向から巻き付けて固定してある。また、上下のガイドプーリ３５間に掛け渡されたワイヤロープ３６の一方の側で、これらのワイヤロープ３６の終端どうしが連結具３７を介して互いに連結されている。連結具３７には、フォーク部材６の垂直部６Ｂの背面から後方に突設された一対の連結腕３８に両端を支持された連結軸３９が回動自在に貫通している。
【００４１】
なお、連結軸３９は、前述した実施形態における図１に示す連結軸９と、左右の昇降用ガイドローラ１１とが同軸に配置されているのと同様に、この実施形態のものにおいても図６には図示していない左右の昇降用ガイドローラと同軸となる位置に設けられている。
【００４２】
図６において、手動ハンドル３２を同図の時計回りに回転すると、操作軸３３とともにワイヤドラム３４が同方向に回転し、上下のガイドプーリ３５間に掛け渡されたワイヤロープ３６の連結具３７で連結された側が上方へ移動して連結具３７とともにフォーク部材６が上昇する。
【００４３】
手動ハンドル３２を同方向に回転するにしたがって、前述した図５に示す動作と同様にして、フォーク部材６は、昇降用ガイドレールと傾動用ガイドレールによって上昇した後、後方に傾転する。また、この傾転位置から、手動ハンドル３２を反時計回りに回転させることによって、フォーク部材６は元の姿勢に戻った後、元の位置まで垂直に下降する。
【００４４】
なお、図示していないが、ワイヤドラム３４には、メカニカルブレーキが内蔵されていて、フォーク部材６に台車を載せてその重量が加わっている状態で手動ハンドル３２から手を離した時には、ワイヤドラム３４が不用意に回転しないように自動的に回転をロックされるようになっている。
【００４５】
手動ハンドル３２を正逆何れかの方向に回転させたときには、メカニカルブレーキは作用せず、ワイヤドラム３４を所望の向きに回転させることができる。メカニカルブレーキは、手動式のチェーンブロックやホイストに組み込まれている周知の構造のものを用いることが可能である。
【産業上の利用可能性】
【００４６】
本発明の台車傾転装置は、養鶏用移動棚として用いられる車高の高い台車の底部に設けられているキャスタ車輪等に注油や点検・修理を行う際に特に好適に用いることができる。また、養鶏用移動棚に限らず、一般のやや車高がある手押し台車等を持ち上げて傾転させる場合にも利用することができる。
【図面の簡単な説明】
【００４７】
【図１】本発明の台車傾転装置の１実施形態を示す側面図である。
【図２】本発明の台車傾転装置の１実施形態を示す平面図である。
【図３】本発明の台車傾転装置の１実施形態における、連結軸周辺部分の詳細構造を示す図である。
【図４】本発明の台車傾転装置の１実施形態における、昇降駆動手段の概略構造を示す図である。
【図５】本発明の台車傾転装置の動作説明図であり、同図（Ａ）は、養鶏用移動棚の台車下面にフォーク部材の水平部を差し込んだ状態、同図（Ｂ）は、同台車を床面より垂直に持ち上げた途中の状態、同図（Ｃ）は、同台車を持ち上げた後傾転させた状態をそれぞれ示す。
【図６】本発明の台車傾転装置の別の実施形態における、手動式昇降駆動手段の概略構造図である。
【符号の説明】
【００４８】
１      台車傾転装置                    ２      前輪
３      後輪                            ４      本体
５      移動用ハンドル                  ６      フォーク部材
６Ａ    水平部                          ６Ｂ    垂直部
７      第１支持腕                      ８      第２支持腕
９      連結軸                          １０    連結軸ホルダ
１１    昇降用ガイドローラ              １１Ａ  フランジ部
１２    昇降用ガイドレール              １３    傾動用ガイドローラ
１４    傾動用ガイドレール              １４Ａ  垂直部分
１４Ｂ  中間部分                        １４Ｃ  水平部分
１５    貫通孔                          １６    連結片
１７    貫通孔                          １８    チェーン連結ボルト
１９    ナット                          ２０    昇降用ローラチェーン
２１    上部スプロケット                ２２    下部スプロケット
２３    チェーン連結ボルト              ２４    ナット
２５    圧縮コイルスプリング            ２６    回転軸
２７    中継スプロケット                ２８    伝動用ローラチェーン
２９    モータ                          ３０    減速機
３１    駆動スプロケット                ３２    手動ハンドル
３５    ガイドプーリ                    ３６    ワイヤロープ
３７    連結具                          ３８    連結腕
３９    連結軸
【図１】
0005201898.tif 000002
【図２】
0005201898.tif 000003
【図３】
0005201898.tif 000004
【図４】
0005201898.tif 000005
【図５】
0005201898.tif 000006
【図６】
0005201898.tif 000007